(57)【要約】【課題】  建物の屋上或いはバルコニー等に敷設され、階下への遮音性を考慮するとともに、施工が簡単でかつ経済性にも優れまた耐久性にも優れた屋外デッキ構造を提供することを課題とする。【解決手段】  スラブ上に弾性体を介して立設される支持ボルト１４及び高さ調整可能な受け具１６を有する支持装置と、長尺状の木製の根太材６と、長尺板材からなり長手側の一方の側面には溝状の雌実部２０が、他方の側面には上記雌実部の奥行よりも長い寸法の突条が設けられた雄実部２２がそれぞれ形成された床材８とを具備し、支持ボルトの上端部を根太材の孔部に突入させるとともに、受け具でこの根太材を支持させ、根太材の上部に床材を配置し、当該床材の雌実部の内部又は雄実部に止着具２８を打込んで固定するとともに、これと隣接する他の床材の雄実部又は雌実部とを嵌合させ、この嵌合部位に形成される凹部を排水溝２４とした構成である。【選択図】  図１
2006169873.tif 000002
【特許請求の範囲】
【請求項１】
スラブ上に弾性体を介して立設される支持ボルト及びこの支持ボルトに螺入され高さ調整可能な受け具を有する支持装置と、所定の間隔をおいて孔部が設けられた長尺状の木製の根太材と、長尺板材からなり長手側の一方の側面には溝状の雌実部が、他方の側面には上記雌実部の奥行よりも長い寸法の突条が設けられた雄実部がそれぞれ形成された床材とを具備し、
上記支持ボルトの上端部を上記根太材の孔部に突入させるとともに、上記受け具でこの根太材を支持させ、
上記根太材の上部に上記床材を配置し、当該床材の雌実部の内部又は雄実部に止着具を打込んで固定するとともに、これと隣接する他の床材の雄実部又は雌実部とを嵌合させ、この嵌合部位に形成される凹部を排水溝としたことを特徴とする屋外デッキ構造。
【請求項２】
上記支持ボルト及びこの下端部に取り付けられる弾性体には、この支持ボルトの上部からスラブ面に接着剤を注入するための注入孔が上下方向に貫通して設けられていることを特徴とする請求項１記載の屋外デッキ構造。
【請求項３】
上記床材及び上記根太材として硬質木材又は再生木を用い、当該床材に上記止着具として釘又はステーブルを打設して上記根太材に固定したことを特徴とする請求項１又は請求項２記載の屋外デッキ構造。
【請求項４】
上記床材の雄実部に、所定間隔をおいて孔あけ加工又は切り欠き加工により上下に貫通した排水孔を設けたことを特徴とする請求項１，２又は請求項３記載の屋外デッキ構造。
【発明の詳細な説明】
【技術分野】
【０００１】
本発明は、屋外の広場、建物の屋上或いはバルコニー等に敷設される屋外デッキ構造に関する。
【背景技術】
【０００２】
従来、屋外など雨水に濡れる頻度の多いデッキの床構造に関して、排水性のよい床構造が提案されている。この床構造は特許文献１に示されるように、床材の長手方向の一方の側端を凹溝状に形成し、他方の側端を凸条に形成するとともに、前記凹溝の深さより前記凸条の突出量を大きくしている。そして、前記の凹溝に隣接する床材の凸条を嵌入したとき、この凸条の根元部分を残すことで排水溝を形成し排水に役立てるようにしている。
【０００３】
また、特許文献２に示す床緩衝支持具は、屋外に敷設される木製デッキの床構造に用いられる。この床緩衝支持具４０は図６に示すように、支持ボルト４２を床スラブに立設し、この支持ボルト４２に螺着される筒状ナット４４の鍔部に弾性体４６を支持し、この弾性体の上部に受プレート４８を配置したものである。そして、受プレート４８の上部に鋼製の根太材５０を配置し、この根太材５０のフランジ部にセルフドリリング可能なビス５２をねじ込み根太材を固定する。床材５４を敷設する場合には、上記根太材５０の上部に固定金具５６を取り付け、この固定金具の翼片５８を床材５４の側面に設けられた溝部６０に係止させ、各床材５４間に所定の隙間を設けて床材５４を取り付ける。
【０００４】
【特許文献１】特開２００４−２０４４４９
【特許文献２】特開２００２−１８０６４４
【発明の開示】
【発明が解決しようとする課題】
【０００５】
さて、上記特許文献１の床構造は、床面上の雨水などの排水機構を有しているものの、これを集合住宅のバルコニーのデッキとして用いた場合等、階下に対する振動或いは騒音等の影響については考慮されてない点で問題がある。一方、特許文献２の床緩衝支持具は、木製の床材５４と鋼製の根太材５０との間に固定金具５６を介在させる構造であるため部品点数が増え、またセルフドリリング可能なビス５２を使用するために大工職と金物職の技能が必要となり、施工する職人が不足し施工手間がかかるという問題がある。特に、集合住宅のバルコニーにデッキを敷設する場合は、狭小面積で施工個所も住戸分と数が多く手間がかかることが予想される。
【０００６】
本発明は上記問題点を解決するためになされたものであり、階下への遮音性を考慮するとともに、施工が簡単でかつ経済性に優れまた耐久性にも優れた屋外デッキ構造を提供することを目的とする。
【課題を解決するための手段】
【０００７】
以上の技術的課題を解決するため、本発明に係る屋外デッキ構造は、図１に示すように、スラブ上に弾性体を介して立設される支持ボルト１４及びこの支持ボルトに螺入され高さ調整可能な受け具１６を有する支持装置と、所定の間隔をおいて孔部が設けられた長尺状の木製の根太材６と、長尺板材からなり長手側の一方の側面には溝状の雌実部２０が、他方の側面には上記雌実部の奥行よりも長い寸法の突条が設けられた雄実部２２がそれぞれ形成された床材８とを具備し、上記支持ボルトの上端部を上記根太材の孔部に突入させるとともに、上記受け具でこの根太材を支持させ、上記根太材の上部に上記床材を配置し、当該床材の雌実部の内部又は雄実部に止着具２８を打込んで固定するとともに、これと隣接する他の床材の雄実部又は雌実部とを嵌合させ、この嵌合部位に形成される凹部を排水溝２４とした構成である。
【０００８】
本発明に係る屋外デッキ構造は、上記支持ボルト及びこの下端部に取り付けられる弾性体には、この支持ボルトの上部からスラブ面に接着剤を注入するための注入孔が上下方向に貫通して設けられている構成である。
【０００９】
本発明に係る屋外デッキ構造は、上記床材及び上記根太材として硬質木材又は再生木を用い、当該床材に上記止着具として釘又はステーブルを打設して上記根太材に固定した構成である。
【００１０】
本発明に係る屋外デッキ構造は、上記床材の雄実部に、所定間隔をおいて孔あけ加工又は切り欠き加工により上下に貫通した排水孔を設けた構成である。
【発明の効果】
【００１１】
本発明に係る屋外デッキ構造によれば、支持ボルトの上端部を根太材の孔部に突入させるとともに、受け具でこの根太材を支持させ、根太材の上部に床材を配置し、当該床材の雌実部の内部又は雄実部に止着具を打込んで固定するとともに、これと隣接する他の床材の雄実部又は雌実部を嵌合させ、この嵌合部位に形成される凹部を排水溝とした構成としたから、支持装置の組み付け及び床材の敷設作業が容易かつ迅速に行なえ、また施工が簡単で狭い場所への敷設も容易に行なえるとともに、内装床職人でも施工が可能になる等、施工性及び経済性に優れる一方、床材から雨水などの排水も良好に行なえ、支持装置の緩衝効果、遮音効果により、集合住宅のバルコニー等に好適に採用することができるという効果を奏する。
【００１２】
本発明に係る屋外デッキ構造によれば、支持ボルト及びこの下端部に取り付けられる弾性体には、この支持ボルトの上部からスラブ面に接着剤を注入するための注入孔が上下方向に貫通して設けられている構成としたから、支持ボルトをスラブ面に固着するための作業が簡単かつ効果的に行え、狭い場所への敷設も容易で施工性に優れ、また緩衝及び遮音にも優れるという効果がある。
【００１３】
本発明に係る屋外デッキ構造によれば、床材及び根太材として硬質木材又は再生木を用い、当該床材に止着具として釘又はステーブルを打設して根太材に固定した構成としたから、屋外での耐久性に優れる一方止着具が床材の上から隠れて美観上好ましいものとなりまた、内装床職人でも施工が可能になる等、施工性にも優れる。
【００１４】
本発明に係る屋外デッキ構造によれば、床材の雄実部に、所定間隔をおいて孔あけ加工又は切り欠き加工により上下に貫通した排水孔を設けた構成としたから、床材から雨水などの排水が迅速かつ良好に行なえるという効果がある。
【発明を実施するための最良の形態】
【００１５】
以下、本発明に係る屋外デッキ構造の実施の形態を図面に基づいて説明する。
図１は、上記屋外デッキ構造を示したものである。この屋外デッキ構造は、スラブ面２上に配置される支持装置４、この支持装置に支持される根太材６、及び根太材６の上部に敷設される床材８を有する。
【００１６】
上記床材８は図２に示すように、長尺状の板材であり、長手側の一方の側部の中央に長手方向に凹溝状の雌実部２０が形成される一方、他方の側部には凸条の雄実部２２が形成されている。そして、この雄実部２２の突出寸法は、雌実部２０の溝の深さ寸法より大きく形成されている。これにより、一の床材８の雄実部２２と他の床材８の雌実部２０とを嵌合させたときには、各床材８の側面部と雄実部２２の上面部との間に凹状の溝が形成され、これを雨水などの排水溝２４として利用する。
【００１７】
さらに、床材８の雄実部２２の根元寄りの位置には、所定間隔をおいて排水孔２６が設けられている。この排水孔２６に代えて、雄実部２２を部分的に切り欠き、雄実部２２と雌実部２０とを嵌合したときに両者間に水が通過する隙間が形成される形態であっても良い。
上記根太材６は、断面長方形状の長尺材であり、所定の間隔をおいて上下方向に孔部１８が穿設されている。
【００１８】
これら床材８及び根太材６の材質としては、ともに耐候性を考慮した硬質木材又は再生木が用いられる。上記硬質木材としては、マニルカラ、ジャラ、イペ、セランガンバツ、ウリン等があり耐久性が高い材料である。再生木は、木粉、顔料及びポリエチレンなどの合成樹脂等を混ぜて板状に加工したもので、耐久性に優れ素足歩行にも馴染む材料である。これら硬質木材、再生木は、屋外での長期使用に耐えることができる。
【００１９】
上記支持装置４は、スラブ面２上に配置される台座１２、この台座１２に回転可能に立設される支持ボルト１４、及びこの支持ボルト１４に螺着され高さ調整可能な受け具１６を有する。この支持ボルト１４は、螺子溝が刻設されたボルト部及びこのボルト部より拡径された円板状の頭部からなる。さらに、支持ボルト１４の軸中心部には上下方向に貫通した注入孔１９が設けられている。そして、上記台座１２の上部には円柱状の凹部が形成され、この凹部は入口が縮径し、また平坦な底面部には低摩擦の合成樹脂製のワッシャが配置されている。この台座１２の上記凹部の中央には上下方向に貫通した注入孔が形成され、またこの台座１２の下面部には中央部に空間部２１が形成されている。台座１２はゴム等の弾性体からなり、所定の緩衝作用及び遮音効果がある。なお、高耐圧が要求される場合等においては、金属製の台座を用いることは何ら差し支えない。
【００２０】
上記支持ボルト１４は、その頭部を上記凹部に突入させ、回転可能に立設されている。また、上記支持ボルト１４の上面部には、角孔又は切り込み等の工具係合溝が設けられ、ここに工具を介在させて回すことで受け具１６の高さを調整する。上記受け具１６は、内部に螺子溝が刻設された筒状部１７の中間部に円板状の受け部１５が設けられた形状である。この受け具１６は、その筒状部１７の上部を根太材６の孔部１８に差込み、受け部１５の上面で根太材６を支持する。
【００２１】
支持装置４の支持ボルト１４及び受け具１６の材質は、合成樹脂材からなる。この合成樹脂製の支持ボルト１４は、現場で切断等の加工が行なえて成形性、作業性が良い。これら支持ボルト１４及び受け具１６の材質は、合成樹脂材以外に、高強度が要求される場合にはステンレス鋼材（ＳＵＳ）を用いてもよく、またアルミニウムなどの軽金属の使用も可能である。
【００２２】
図３は、他の形態の台座３２を用いた支持装置３０を示したものである。この台座３２はゴム等の弾性体からなり、特に遮音性能を高めるために支持ボルト１４から下の弾性部分を高くして衝撃を大幅に緩和している。この支持装置３０は、台座３２以外は上記支持装置４と同様な部材が用いられる。
【００２３】
ここで、上記屋外デッキを図４及び図５に示すように、屋外の広場、通路等に施工する場合について説明する。この施工では、先ず根太材６の各孔部１８にそれぞれ支持装置４の受け具１６の上部を差し込んだ後、根太材６とともに支持装置４をスラブ面２に配置する。そして、根太材６の孔部１８の上から工具を支持ボルト１４に介在させ、これを回して受け具１６を上下に加減して根太材６の高さ調節を行う。根太材６の高さが調節できると、孔部１８から支持ボルト１４の注入孔１９にウレタン接着剤等の接着剤を注入し、この接着剤を台座１２の下面の空間部２１に充填して、台座１２をスラブ面２に接着する。
【００２４】
次に、上記支持装置４間に根太材６を架設する。このとき、根太材６に設けられた孔部１８に支持装置４の支持ボルト１４の先を差し込み、受け部１５で根太材６を支持する。そして、根太材６の孔部１８の上部から工具を介在させ、支持ボルト１４を回して受け部１５の高さを加減して根太材６の高さを調節する。
【００２５】
このように、所定間隔をおいて上記根太材６を互いに平行に配置し、これら根太材６の上部に、根太材６とは直交する方向に床材８を敷設する。床材８は、雌実部２０の溝内奥下端部から斜め後下方に向けて釘等の止着具２８を打ち込んで固定する。上記床材８に直接止着具２８を打ち込んで固定する工法により、施工作業が容易かつ迅速に行なえ、また固定金具などの特殊な金具が不要で経済性にも優れる。この止着具２８に連結釘・ステープル等を用いることで、従来のビスにて止着する方法と比べて作業が早くなり施工性がアップする。
【００２６】
上記床材８の取付けは、先に固定された床材８の雌実部２０に他の床材８の雄実部２２を嵌合して順次固定する。なお、床材８の固定に際しては、雄実部２２の根元から斜め後下方に向けて止着具２８を根太材６に打ち込んで固定してもよい。この場合は、床材８の雄実部２２側を固定することになり、これに他の床材８の雌実部２０を嵌合固定する。
【００２７】
このとき、雄実部２２の突出寸法を雌実部２０の溝の深さ寸法より大きくしていることから、両者を嵌合させたときに雄実部２２の一部上方が露出して凹部が形成され、これを排水溝２４として利用するようにしている。また、上記排水溝２４の底部に該当する雄実部２２には排水孔２６が形成されていることから、ここから雨水などが排水される。
【００２８】
このように上記実施の形態に係る屋外デッキ構造は、支持装置の組み付け及び設置が簡単であり、また床材の敷設作業が簡単で狭い場所への敷設も容易行なえることから施工性に優れ併せて経済性にも優れる。またこの床構造は、床材の排水溝及び排水孔により雨水などの排水が良好に行なえ、支持装置の緩衝効果、遮音効果により階下等への配慮が必要な集合住宅のバルコニー等に好適に使用することができる。さらに、床材の雌実部又は雄実部からステープルや釘等を用いて止着するようにしたので、このステープルや釘が床材の上から隠れ、美観上好ましいものとなる。
【００２９】
また上記屋外デッキ構造は、内装二重床の際根太材の敷設で用いられる根太材を外部で使用できるように硬質木材に変更し、その他の構成部材は同じものを使用することが可能であり、このため内装床職人でも上記床構造のバルコニー等への施工が可能になる。同様に、仕上げ材の硬質木材は、上記床材８のように水抜き孔付きサネ加工している材料を使用していることにより、釘・ステープル等と接着剤で施工が可能となり、内装床職人でも容易に施工が行なえる。
【００３０】
現状として集合住宅では、室内床は内装床職人、室外デッキ工事は、ウッドデッキ専門職人が施工しているが、上記屋外デッキ構造の施工は内装床職人のみで対応できるので、職人不足及び施工手間の多さの問題が解消される。集合住宅では、屋上庭園及びバルコニーなどの階下室への音の影響で遮音性能が求められることがあり、この場合には内装床で培われた遮音ゴムに取り替えること等により、簡単に遮音対策も可能である。
【００３１】
さらに、上記支持装置の材料は、緩衝ゴム及び合成樹脂材を使用して階下への遮音性を考慮しているため、これらの材質は紫外線等による劣化が問題となるが、床材同士の間は単に排水用の隙間を設けるのではなく、上記床材同士を嵌合することで床下に紫外線等が入り込まない遮光性を考慮した形態を採用したので、支持装置についても高い耐久性が確保できる。
【図面の簡単な説明】
【００３２】
【図１】本発明の実施の形態に係る屋外デッキ構造を示す図である。
【図２】実施の形態に係る床材の斜視図である。
【図３】他の形態の台座を用いた支持装置を示す図である。
【図４】実施の形態に係る屋外デッキ構造の断面を示す図である。
【図５】実施の形態に係る屋外デッキ構造の他の断面を示す図である。
【図６】従来例に係る木製デッキの床構造を示す図である。
【符号の説明】
【００３３】
４  支持装置
６  根太材
８  床材
１４  支持ボルト
２０  雌実部
２２  雄実部
２４  排水溝
２８  止着具
【図１】
2006169873.tif 000003
【図２】
2006169873.tif 000004
【図３】
2006169873.tif 000005
【図４】
2006169873.tif 000006
【図５】
2006169873.tif 000007
【図６】
2006169873.tif 000008